(57)【要約】【課題】被転写部材の端部にてクリーニングブレードが短期間でめくれることを抑制とすること。【解決手段】画像形成装置１において、感光体ドラム５ａ〜５ｄは、所定方向Ｄ０に延在し、静電潜像が形成される。現像器８ａ〜８ｄは、滑剤が添加された現像剤を、内部で搬送しつつ現像ローラ８５に担持させることで、感光体ドラム５ａ〜５ｄに供給する。中間転写ベルト３には、感光体ドラム５ａ〜５ｄへの現像剤の供給により形成された複数のトナー像が転写され、その結果、合成トナー像が形成される。クリーニングブレード１２は、合成トナー像の印刷媒体への転写後に中間転写ベルト３に残留した残留物を除去する。現像器８ｃは、所定方向Ｄ０の一方側から他方側への順方向Ｄ１に現像剤を搬送しつつ、自身の現像ローラ８５に担持させる。それに対し、現像器８ａ等は、順方向Ｄ１とは逆方向Ｄ２に現像剤を搬送しつつ自身の現像ローラ８５に担持させる。【選択図】図４
2016109843.tif 000002
【特許請求の範囲】
【請求項１】
所定方向に延在し、静電潜像が形成される複数の像担持体と、
滑剤が添加された現像剤を、内部で搬送しつつ回転体に担持させることで、前記複数の像担持体の一つに供給する複数の現像器と、
前記複数の像担持体への現像剤の供給により形成された複数のトナー像が転写されて合成トナー像が形成される被転写部材と、
前記合成トナー像の印刷媒体への転写後に前記被転写部材に残留した残留物を除去するクリーニングブレードと、を備え、
前記複数の現像器の少なくとも一つは、前記所定方向の一方側から他方側への順方向に現像剤を搬送しつつ自身の回転体に担持させ、
前記複数の現像器の少なくとも他の一つは、前記順方向とは逆方向に現像剤を搬送しつつ自身の回転体に担持させる、画像形成装置。
【請求項２】
前記複数の現像器の総数が四以上の偶数であり、
前記四以上の現像器の半数は、前記順方向に現像剤を搬送しつつ自身の回転体に担持させ、
前記四以上の現像器の残りの半数は、前記順方向とは逆方向に現像剤を搬送しつつ自身の回転体に担持させる、請求項１に記載の画像形成装置。
【請求項３】
前記複数の現像器の総数が四であって、
前記四以上の現像器の一個は、前記順方向および前記逆方向のいずれか一方に、ブラックの現像剤を搬送しつつ自身の回転体に担持させ、
前記四以上の現像器の残りの三個は、前記順方向および前記逆方向のいずれか他方に、ブラック以外の色の現像剤を搬送しつつ自身の回転体に担持させる、請求項１に記載の画像形成装置。
【請求項４】
前記複数の現像器の少なくとも一つは、前記回転体における前記所定方向の一方端から他方端に沿って現像剤を搬送しつつ自身の回転体に担持させ、
前記複数の現像器の少なくとも他の一つは、前記回転体における前記所定方向の他方端から一方端に沿って現像剤を搬送しつつ自身の回転体に担持させる、請求項１に記載の画像形成装置。
【発明の詳細な説明】
【技術分野】
【０００１】
本発明は、被転写部材への残留物を除去するクリーニングブレードを備えた画像形成装置に関する。
【背景技術】
【０００２】
従来、この種の画像形成装置は、例えば、下記の特許文献１に記載されており、被転写部材の一例としての中間転写ベルトを備える。中間転写ベルトは、複数のローラにより張架される。いずれかのローラは、モータからの駆動力により回転し、この回転に連れて、他のローラおよび中間転写ベルトも回転する。
【０００３】
中間転写ベルトの周囲（例えば下方）には、中間転写ベルトの回転方向の上流側から順に、イエロー、マゼンタ、シアンおよびブラック用の四個の作像ユニットが並置される。各作像ユニットは、対応色の現像剤を用いてトナー像を感光体ドラム上に形成する。各色のトナー像は中間転写ベルトの同じ領域に一次転写され、その結果、各トナー像が互いに重なり合った合成トナー像が形成される。合成トナー像は、二次転写領域にて中間転写ベルトから印刷媒体（例えば用紙等）に転写される。
【０００４】
また、中間転写ベルトの外周面上であって、二次転写領域およびイエロー用の作像ユニットとの間には、クリーニングブレードが設けられる。クリーニングブレードは、中間転写ベルトと当接し、二次転写領域で印刷媒体に転写されなかったトナー等の残留物を掻き取る。
【先行技術文献】
【特許文献】
【０００５】
【特許文献１】特開２０１４−８１５３８号公報
【発明の概要】
【発明が解決しようとする課題】
【０００６】
しかし、従来の画像形成装置では、クリーニングブレードの寿命が設計寿命よりも短くなるという問題点があった。具体的には、各色の現像剤には、トナーやキャリアだけでなく滑剤が外添される。かかる現像剤は、現像器内において現像ローラと対向する部分を、感光体ドラムの回転軸の一方端側から他方端側に向かう方向（以下、搬送方向という）に搬送される間に、現像ローラにより担持された後、現像ローラの回転により、感光体ドラムにおける現像域まで搬送されて供給される。
【０００７】
上記のように現像剤を供給する場合、現像ローラにおいて、搬送方向の上流側の部分に、相対的に多くの滑剤が供給される。したがって、感光体ドラムや中間転写ベルトに供給される滑剤の量は、搬送方向の下流側に向かうほど少なくなっていく。換言すれば、中間転写ベルトの外周面上では、搬送方向の下流側に向かうほど摩擦係数が増大し、クリーニングブレードにおいて中間転写ベルトの下流側端部にて短期間でめくれてしまう可能性がある。その結果、クリーニングブレードの寿命が設計寿命よりも短くなってしまうという問題点があった。
【０００８】
それゆえに、本発明の目的は、被転写部材の端部にてクリーニングブレードが短期間でめくれることを抑制可能な画像形成装置を提供することである。
【課題を解決するための手段】
【０００９】
本発明の一形態は、所定方向に延在し、静電潜像が形成される複数の像担持体と、滑剤が添加された現像剤を、内部で搬送しつつ回転体に担持させることで、前記複数の像担持体の一つに供給する複数の現像器と、前記複数の像担持体への現像剤の供給により形成された複数のトナー像が転写されて合成トナー像が形成される被転写部材と、前記合成トナー像の印刷媒体への転写後に前記被転写部材に残留した残留物を除去するクリーニングブレードと、を備え、前記複数の現像器の少なくとも一つは、前記所定方向の一方側から他方側への順方向に現像剤を搬送しつつ自身の回転体に担持させ、前記複数の現像器の少なくとも他の一つは、前記順方向とは逆方向に現像剤を搬送しつつ自身の回転体に担持させる、画像形成装置である。
【発明の効果】
【００１０】
上記形態によれば、クリーニングブレードが短期間でめくれることを抑制可能な画像形成装置を提供することができる。
【図面の簡単な説明】
【００１１】
【図１】画像形成装置の大略的な構成を示す図である。
【図２Ａ】図１におけるＹ，Ｍ，Ｋの現像器をｚｘ平面に沿う断面図である。
【図２Ｂ】図１におけるＹ，Ｍ，Ｋの現像器をｘｙ平面に沿う断面図である。
【図３Ａ】図１におけるＣの現像器をｚｘ平面に沿う断面図である。
【図３Ｂ】図１におけるＣの現像器をｘｙ平面に沿う断面図である。
【図４】実施形態における各色の現像器における現像剤の搬送方向を示す模式図である。
【図５】第一変形例における各色の現像器における現像剤の搬送方向を示す模式図である。
【図６】第二変形例における各色の現像器における現像剤の搬送方向を示す模式図である。
【図７】従来例における各色の現像器における現像剤の搬送方向を示す模式図である。
【発明を実施するための形態】
【００１２】
以下、図面を参照して、各実施形態に係る画像形成装置を詳説する。
【００１３】
《第一欄：定義》
いくつかの図には、互いに直交するｘ軸、ｙ軸およびｚ軸が示される。ｘ軸およびｚ軸は、画像形成装置１の左右方向および上下方向を示す。また、ｙ軸は、画像形成装置１の前後方向、より具体的には、前面側から背面側に向かう方向を示す。また、ｙ軸方向は、感光体ドラム５や現像ローラ８５が延在する所定方向Ｄ０の一例である。
【００１４】
また、本文中および各図には、参照符号の添え字としてアルファベット小文字ａ、ｂ、ｃ、ｄが付加されることがある。ａ，ｂ，ｃ，ｄは、イエロー（Ｙ）、マゼンタ（Ｍ）、シアン（Ｃ）、ブラック（Ｋ）を表す。例えば、感光体ドラム５ａは、Ｙ色の感光体ドラムを意味する。また、添え字を付加可能であるにも関わらず、参照符号に添え字が付加されていないものは、全色あるいは各色を意味する。例えば、感光体ドラム５は、ＹＭＣＫ全色あるいは各色の感光体ドラムを意味する。
【００１５】
《第二欄：画像形成装置の全体構成・印刷動作》
図１において、画像形成装置１は、例えば、複写機、プリンタまたはファクシミリ、もしくは、これらの機能を備えた複合機であって、周知の電子写真方式およびタンデム方式により、各種画像（例えばフルカラー画像）を用紙に印刷する。そのために、画像形成装置１は、まず、作像ユニット２と、中間転写ベルト３と、二次転写ローラ４と、を備える。
【００１６】
各色の作像ユニット２は、例えば、上下方向に並置され、対応色の感光体ドラム５を含む。各感光体ドラム５は、像担持体の一例であって、所定方向Ｄ０に延在する円柱形状を有し、例えば矢印αの方向に回転する。各感光体ドラム５の周囲には、回転方向αの上流側から下流側に向かって、少なくとも、帯電器６と、現像器８と、一次転写ローラ９とが配置される。
【００１７】
各帯電器６は、対応色の感光体ドラム５の帯電域に臨むよう配置され、回転する感光体ドラム５の周面を一様に帯電させる。
【００１８】
各作像ユニット２の右方には、露光装置７が一つずつ設けられる。各露光装置７は、画像データに基づく光ビームＢを、対応色の感光体ドラム５の帯電域の直ぐ下流側の露光域に照射する。これにより、各感光体ドラム５には、対応色の静電潜像が形成される。
【００１９】
各現像器８は、所謂トリクル方式の現像器であって、対応色の感光体ドラム５において露光域の直ぐ下流側の現像域Ｒ３（図２Ａ等を参照）に、対応色の二成分現像剤（以下、現像剤と略記する）を供給して対応色のトナー像を形成する。
【００２０】
二成分現像剤は、キャリアとトナーとを含有する。二成分現像剤にはさらに、滑剤等が添加される。滑剤は、例えばステアリン酸亜鉛の微粒子からなるが、ステアリン酸亜鉛以外にも、ステアリン酸アルミニウム、ステアリン酸マグネシウム、ステアリン酸リチウム等の無機ステアリン酸化合物を添加することも可能である。このように、各現像器８は、対応する感光体ドラム５にトナーおよびキャリアだけでなく滑剤をも供給する。これにより、各感光体ドラム５の周囲に、独立した滑剤供給手段を設ける必要がなくなるため、画像形成装置１を小型化・低コスト化することができる。
【００２１】
また、本実施形態では、トリクル方式の現像器８が使用され、各現像器８の排出口８１（図２Ａ等を参照）からは、劣化した現像剤が常時は排出される。
【００２２】
また、画像形成装置１の内部には、各色用の現像剤を収容したカートリッジ（図示せず）が配置されている。カートリッジからは、対応する現像器８に補給口８２（図２Ａ等を参照）から現像剤が補充される。
【００２３】
中間転写ベルト３は、所謂エンドレスベルトであって、被転写部材の典型例である。かかる中間転写ベルト３は、上下方向に配列された少なくとも二個のローラの外周面に掛け渡され、例えば矢印βで示す方向に回転する。中間転写ベルト３の外周面は、各感光体ドラム５の左端と当接する。
【００２４】
各一次転写ローラ９は、一次転写部材の典型例であって、対応色の感光体ドラム５と中間転写ベルト３を挟んで対向すると共に中間転写ベルト３の内周面を左方から押圧して、感光体ドラム５と中間転写ベルト３との間に一次転写領域Ｒ１を形成する。感光体ドラム５に形成されたトナー像は、対応する一次転写領域Ｒ１にて、回転する中間転写ベルト３に転写される。以下、この処理を一次転写と称する。ここで、各色のトナー像は、周知の通り、中間転写ベルト３の外周面の同一エリアに転写され、その結果、この外周面には、各色のトナー像が重ね合わせられた合成トナー像が形成される。合成トナー像は、典型的には、フルカラー画像となる。
【００２５】
なお、各感光体ドラム５に担持された現像剤（主にトナーと滑剤）の一部は、中間転写ベルト３に転写されずに、各感光体ドラム５の外周面に残留することがある。かかる残流現像剤やその他の残留物を除去するために、各感光体ドラム５の周囲であって、対応する一次転写領域Ｒ１および対応する帯電器６の間には、第一クリーニング手段１１が設けられている。各第一クリーニング手段１１は、機械的および静電的クリーニング方式のいずれのものを用いても良い。
【００２６】
二次転写ローラ４は、二次転写部材の典型例であって、中間転写ベルト３の下端辺りで、中間転写ベルト３の外周面を押圧して、二次転写ローラ４と中間転写ベルト３の間の接触部分に二次転写領域Ｒ２を形成する。二次転写領域Ｒ２では、中間転写ベルト３に担持された合成トナー像が印刷媒体Ｍ（例えば用紙）に転写される。この印刷媒体Ｍは、周知の定着器１０を通過した後、印刷物としてトレイ（図示せず）に排出される。
【００２７】
なお、二次転写ベルト３に担持された現像剤（主にトナーと滑剤）の一部は、印刷媒体Ｍに転写されずに、二次転写ベルト３の外周面に残留することがある。かかる残留現像剤やその他の残留物を除去するため、中間転写ベルト３の外周面に沿って、かつ、二次転写領域Ｒ２と一次転写領域Ｒ１ａとの間には、第二クリーニング手段１２が設けられている。
【００２８】
第二クリーニング手段１２は、要するに、クリーニングブレード１２である。クリーニングブレード１２は、例えばポリウレタンゴムをシート状に加工したものであって、対応する二次転写領域Ｒ２を基準として回転方向βの直ぐ下流側に、中間転写ベルト３の外周面上に所定方向Ｄ０と略平行に、例えばリーディング方式（カウンター方式とも呼ばれる）で当接するように配置される。
【００２９】
クリーニングブレード１２は、回転する中間転写ベルト３との間に生じる摩擦力により弾性変形する。この時、クリーニングブレード１２の先端部分は、弾性力と摩擦力とが均衡した状態で中間転写ベルト３の外周面に当接することになる。かかる状態において、クリーニングブレード１２は、中間転写ベルト３の外周面上の残留物が自身に到達すると、到達した残留物を機械的に掻き取る。これにより、中間転写ベルト３の外周面がクリーニングされる。
【００３０】
ここで、両クリーニング手段１１，１２により取り除かれた残留物は、回収ボックス１３に回収される。
【００３１】
《第三欄：現像器の詳細な構成・動作》
次に、図２Ａ〜図３Ｂを参照し、各現像器８の構成・動作を詳説する。
図２Ａは、現像器８ａ，８ｂおよび８ｄをｚｘ平面と平行に切断した時の断面を、ｙ軸の負方向側（つまり前方）から視た時の断面図である。以下では、現像器８ａ，８ｂおよび８ｄを、現像器８ａ等という場合がある。なお、図２Ａでは、分かり易さのため現像剤の図示が省略される。
図２Ｂは、現像器８ａ等をｘｙ平面と平行に（つまり、図２Ａの線Ｉ−Ｉ’に沿う面で）切断した時の断面を、ｚ軸の正方向側（つまり上方）から視た時の断面図である。
【００３２】
図２Ａ，図２Ｂにおいて、現像器８ａ等はそれぞれ、前述の排出口８１および補給口８２に加え、現像容器８３と、隔壁８４とをさらに備える。各現像容器８３は、対応色の現像剤を貯留する。また、各現像容器８３は、対応色の感光体ドラム５ａ，５ｂまたは５ｄに沿って所定方向Ｄ０に延在し、少なくとも、現像域Ｒ３との対向部分にて開口する。
【００３３】
各隔壁８４は、対応する現像容器８３の底部からは上方（ｚ軸方向）に突出していると共に、所定方向Ｄ０に延在する。これにより、各現像容器８３内は、対応する感光体ドラム５寄りの第一搬送路ＦＰ１と、そうでは無い第二搬送路ＦＰ２とに区画される。また、両搬送路ＦＰ１，ＦＰ２は、所定方向Ｄ０への位置が異なる二個所（例えば、現像容器８３におけるｙ軸方向の正方向側および負方向側の端部）にて連通する。これにより、各現像容器８３内には、現像剤の循環経路が構成される。
【００３４】
以下では、図２Ａ，図２Ｂの現像容器８３において、ｙ軸の正方向側から負方向側に向かう方向を順方向Ｄ１とし、ｙ軸の負方向側から正方向側に向かう方向を逆方向Ｄ２とする。
【００３５】
また、現像器８ａ等のそれぞれにおいて、補給口８２は、例えば、第二搬送路ＦＰ２の上方にて開口し、対応する現像容器８３の上壁に形成された貫通孔である。
また、現像器８ａ等のそれぞれにおいて、排出口８１は、第一搬送路ＦＰ１の順方向Ｄ１側の端部からさらに順方向Ｄ１に延在する第三搬送路ＦＰ３にて開口する貫通孔である。本実施形態では、排出口８１は、対応する現像容器８３の底に形成されるとする。後述の排出口８１からは、劣化した現像剤が、現像中は継続的に、少しずつ排出される。現像剤の排出に伴い、対応色のカートリッジから、補充の現像剤が送り出される。かかる現像剤は、対応する補給口８２より現像容器８３に導入される。
【００３６】
現像器８ａ等のそれぞれは、回転体である現像ローラ８５をさらに備える。各現像ローラ８５は、回転可能なスリーブ内に固定的に配置された受け取り極および現像極等を有する。また、各現像ローラ８５は、対応色の現像域Ｒ３に近接し臨み、かつ第一搬送路ＦＰ１にも臨むよう、対応色の感光体ドラム５ａ，５ｂまたは５ｄと略平行に設けられる。また、各現像ローラ８５は、矢印γの方向に回転可能に、現像容器８３の開口部分に架け渡される。かかる現像ローラ８５のそれぞれは、対応する第一搬送部材８６（後述）から現像剤を受け取り極にて受け取り外周面に担持した後、回転することにより、担持した現像剤を現像極まで搬送し、対応する感光体ドラム５ａ，５ｂまたは５ｄの現像域Ｒ３に供給する。
【００３７】
現像器８ａ等のそれぞれは、第一搬送部材８６をさらに備える。各第一搬送部材８６は、対応する現像ローラ８５の右側に略平行に近接し、かつ、例えば、ｙ軸の負方向側から見て反時計回りの方向θ１に回転可能に、対応する第一搬送路ＦＰ１および第三搬送路ＦＰ３に架け渡されて軸支される。
【００３８】
また、各第一搬送部材８６は、方向θ１に回転することで、第一搬送路ＦＰ１内の現像剤を撹拌しつつ順方向Ｄ１に搬送し、現像ローラ８５の受け取り極に供給する。現像剤は、第一搬送路ＦＰ１の順方向Ｄ１の下流端まで搬送されると、大部分は、連通部分を経由して第二搬送路ＦＰ２に送り込まれ、残りは、第三搬送路ＦＰ３に送り込まれる。なお、各搬送路ＦＰ１〜ＦＰ３での現像剤の搬送方向は、図中、ハッチングを付した矢印で示される。
【００３９】
各第一搬送部材８６は、方向θ１に回転することで、第三搬送路ＦＰ３内の現像剤を撹拌しつつ逆方向Ｄ２に搬送する。しかし、第三搬送路ＦＰ３における搬送力はさほど大きくなく、さらには、その最外周に沿って現像剤が通過可能に隙間となっている。第三搬送路ＦＰ３に送り込まれた現像剤の一部は、かかる隙間内を搬送されて、排出口８１から排出される。
【００４０】
次に、第一搬送部材８６の具体的な構成例について説明する。第一搬送部材８６は、例えば樹脂製で、射出成形等により成形される。第一搬送部材８６には、少なくとも、第一シャフト８７と、第一スクリュー８８と、第二スクリュー８９と、が備わる。第一シャフト８７は、所定方向Ｄ０に延在する回転軸であって、ｙ軸負方向側からの平面視で反時計回りの方向θ１に回転する。第一スクリュー８８は、第一シャフト８７において第一搬送路ＦＰ１の部分を方向θ１に旋回しながら逆方向Ｄ２に進行する螺旋形状を有する。それに対し、第二スクリュー８９は、第三搬送路ＦＰ３の部分をθ１方向とは逆方向に旋回しながら逆方向Ｄ２に進行する螺旋形状を有する。
【００４１】
現像器８ａ等のそれぞれは、第二搬送部材８１０をさらに備える。第二搬送部材８１０は、隔壁８４を挟んで第一搬送部材８６と略平行に、かつ、矢印θ２の方向（つまり、θ１方向とは逆方向）に回転可能に、第二搬送路ＦＰ２内に架け渡されて軸支される。第二搬送部材８１０は、回転することで、第二搬送路ＦＰ２内の現像剤を撹拌しつつ逆方向Ｄ２に搬送して、連通部分を介して第二搬送路ＦＰ２から第一搬送路ＦＰ１に送り込む。
【００４２】
次に、第二搬送部材８１０の具体的な構成例について説明する。第二搬送部材８１０は、第二シャフト８１１と、第三スクリュー８１２とが備わる。第二シャフト８１１は、所定方向Ｄ０に延在する回転軸である。また、第二シャフト８１１は、所定方向Ｄ０に延在する回転軸であって、ｙ軸の負方向側からの平面視で時計回りの方向θ２に回転する。第三スクリュー８１２は、第二シャフト８１１の外周面上を方向θ２とは逆方向に旋回しながら、順方向Ｄ２に進行する螺旋形状を有する。
【００４３】
図３Ａは、現像器８ｃをｚｘ平面と平行に切断した時の断面を、ｙ軸の負方向側（つまり前方）から視た時の断面図である。なお、図３Ａでは、現像剤がドットで示されている。また、図３Ｂは、現像器８ｃをｘｙ平面と平行に（つまり、図３Ａの線Ｉ−Ｉ’に沿う面で）切断した時の断面を、ｚ軸の正方向側（つまり上方）から視た時の断面図である。
【００４４】
図３Ａ，図３Ｂにおいて、現像器８ｃは、前述の排出口８１および補給口８２に加え、現像容器８３と、隔壁８４とをさらに備える。
現像容器８３は、シアンの現像剤を貯留し、現像容器８３は、感光体ドラム５ｃに沿って所定方向Ｄ０に延在し、少なくとも、現像域Ｒ３との対向部分にて開口する。
【００４５】
隔壁８４は、現像容器８３の底部からは上方に突出し所定方向Ｄ０に延在して、現像容器８３内を、感光体ドラム５ｃ寄りの第一搬送路ＦＰ１と、そうでは無い第二搬送路ＦＰ２とに区画する。また、両搬送路ＦＰ１，ＦＰ２もまた、他色の搬送路ＦＰ１，ＦＰ２と同様、現像剤の循環経路を構成するため、所定方向Ｄ０への位置が異なる二個所にて連通する。
【００４６】
また、現像器８ｃにおいて、補給口８２は、他色の現像器８ａ等と同様に設けられるが、排出口８１は、第一搬送路ＦＰ１の逆方向Ｄ２側の端部からさらに逆方向Ｄ２に延在する第三搬送路ＦＰ３にて開口する貫通孔である。
【００４７】
現像器８ｃもまた、他色の現像器８ａと同様、回転体である現像ローラ８５をさらに備える。
【００４８】
現像器８ｃは、第一搬送部材８６をさらに備える。第一搬送部材８６において、第一シャフト８７は、現像ローラ８５の右側に略平行に近接し、かつ、例えば、方向θ１とは逆方向のθ３に回転可能に、両搬送路ＦＰ１，ＦＰ３に架け渡されて軸支される。また、第一搬送部材８６において、第二スクリュー８８は、方向θ３に回転することで、第一搬送路ＦＰ１内の現像剤を撹拌しつつ逆方向Ｄ２に搬送し、現像ローラ８５の受け取り極に供給する。現像剤は、第一搬送路ＦＰ１の逆方向Ｄ２の下流端まで搬送されると、大部分は、連通部分を経由して第二搬送路ＦＰ２に送り込まれ、残りは、第三搬送路ＦＰ３に送り込まれる。第一搬送部材８６において、第二スクリュー８９は、方向θ３への回転により、第三搬送路ＦＰ３内の現像剤を撹拌しつつ順方向Ｄ２に搬送し、これによって、他色の現像器８ａ等と同様、現像剤は少量ずつ排出口８１から排出される。
【００４９】
現像器８ｃはさらに、第二搬送部材８１０を備える。第二搬送部材８１０において、第一シャフト８１１は、隔壁８４を挟んで第一搬送部材８６と略平行に、かつ、方向θ２とは逆方向のθ４に回転可能に、第二搬送路ＦＰ２内に架け渡されて軸支される。第二搬送部材８１０において、第三スクリュー８１２は、回転することで、第二搬送路ＦＰ２内の現像剤を撹拌しつつ順方向Ｄ１に搬送して、連通部分を介して第二搬送路ＦＰ２から第一搬送路ＦＰ１に送り込む。
【００５０】
《第四欄：実施形態の作用・効果》
上記構成の画像形成装置１では、印刷動作時、現像器８ａ等の第一搬送路ＦＰ１では、図４に示すように、ｚ軸の正方向側から視た時に、現像剤は、現像ローラ８５のｙ軸の正方向側端部から順方向Ｄ１に搬送される。それに対し、現像器８ｃでは、現像剤は、現像ローラ８５のｙ軸負方向側端部から逆方向Ｄ２に搬送される。その結果、現像器８ａ等の現像ローラ８５では、順方向Ｄ１の上流側の部分に多くの滑剤が供給されるが、現像器８ｃの現像ローラ８５では、順方向Ｄ１の下流側に多くの滑剤が供給される。したがって、中間転写ベルト３（図１を参照）に供給される滑剤の量は、順方向Ｄ１の上流側あるいは下流側に極度に偏るのではなく、順方向Ｄ１の全体にわたって平滑化される。換言すれば、中間転写ベルト３の外周面では順方向Ｄ１の全体にわたって摩擦係数が平滑化されるので、中間転写ベルト３の局所的な摩擦係数の増大により、クリーニングブレード１２が短期間でめくれる可能性を低減することができる。その結果、クリーニングブレード１２の寿命が設計寿命よりも短くなることを抑制することができる。
【００５１】
《第五欄：第一変形例》
上記実施形態の説明では、印刷動作時、現像器８ａ，８ｂ，８ｄの第一搬送路ＦＰ１において現像剤は順方向Ｄ１に、現像器８ｃにおいて現像剤は逆方向Ｄ２に搬送されるようにしていた（図４を参照）。しかし、これに限らず、図５に示すように、四個ある現像器８ａ〜８ｄのうち、二個の現像器８ｂ，８ｄにおいて現像剤は順方向Ｄ１に、残りの二個の現像器８ａ，８ｃにおいて現像剤は逆方向Ｄ２に搬送されるようにしても良い。
【００５２】
なお、第一変形例では、ＹＭＣＫに対応して四個の現像器８の場合を例示した。しかし、これに限らず、現像器８の個数が六個以上の偶数の場合には、全ての現像器８のうち半数では現像剤は順方向Ｄ１に、残りの半数では現像剤は逆方向Ｄ２に搬送されれば良い。
【００５３】
《第六欄：第一変形例の作用・効果》
第一変形例では、全ての現像器８の半数では現像剤は、現像ローラ８５の全域にわたって順方向Ｄ１に、残りの半数では現像剤は現像ローラ８５の全域にわたって逆方向Ｄ２に搬送されるので、中間転写ベルト３（図１を参照）に供給される滑剤の量は、順方向Ｄ１の全体にわたって、上記実施形態よりも平滑化される。換言すると、中間転写ベルト３における局所的な摩擦係数の増大を抑制できるため、クリーニングブレード１２が短期間でめくれる可能性をより低減できる。その結果、クリーニングブレード１２の寿命が設計寿命よりも短くなることをさらに抑制することができる。
【００５４】
《第七欄：第二変形例》
上記実施形態の説明では、印刷動作時、現像器８ａ，８ｂ，８ｄの第一搬送路ＦＰ１において現像剤は順方向Ｄ１に、現像器８ｃにおいて現像剤は逆方向Ｄ２に搬送されるようにしていた（図４を参照）。しかし、これに限らず、図６に示すように、現像器８ｄにおいて現像剤は順方向Ｄ１に、残りの三個の現像器８ａ〜８ｃにおいて現像剤は逆方向Ｄ２に搬送されるようにしても良い。
【００５５】
《第八欄：第二変形例の作用・効果》
周知の通り、ブラックは使用頻度が高い。したがって、第二変形例のように、ブラックの現像剤に限り、現像ローラ８５の全域にわたって順方向Ｄ１に、他色の現像剤を現像ローラ８５の全域にわたって逆方向Ｄ２に搬送することで、中間転写ベルト３（図１を参照）に供給される滑剤の量は、順方向Ｄ１の全体にわたって、上記実施形態よりも平滑化される。換言すると、中間転写ベルト３における局所的な摩擦係数の増大を抑制できるため、クリーニングブレード１２が短期間でめくれる可能性をより低減できる。その結果、クリーニングブレード１２の寿命が設計寿命よりも短くなることをさらに抑制することができる。
【００５６】
《第九欄：発明者による実験結果》
本件発明者は、本発明の実施形態、第一変形例および第二変形例の効果を確認すべく、下記のような実験を行った。
【００５７】
画像形成装置１としては、コニカミノルタ社製「ｂｉｚｈｕｂ  ＰＲＯ  Ｃ５５４」（波長７８０ｎｍのレーザ露光，反転現像，タンデム方式カラー複合機）をローラ帯電方式に改造した複合機を四台準備した。かかる複合機の三台を、実施形態、第一変形例および第二変形例に相当するものにさらに改造した。また、残りの複合機は、従来例に相当し、図７に示すように、全色の現像剤を第一搬送路ＦＰ１で順方向Ｄ１に搬送する。
【００５８】
以上のような四台の複合機に、ＹＭＣの各色に関しては印刷面積率５％で、Ｋに関しては印刷面積率１５％の画像を含むＡ４版画像をＡ４版中性紙に、中間転写ベルトやクリーニングブレード等を含む中間転写ユニットの設計寿命が来るまで繰り返し印刷させた。その結果を下表に示す。
【００５９】
【表１】
2016109843.tif 000003
【００６０】
上表に示すように、従来例の評価結果は、ＮＧで、中間転写ユニットの設計寿命が来る前に、クリーニングブレードのめくれが生じた。また、実施形態の評価結果はＤＣで、中間転写ユニットの設計寿命辺りで、クリーニングブレードのめくれが生じた。また、第一変形例および第二変形例の評価結果はＯＫで、中間転写ユニットの設計寿命を超えても、クリーニングブレードのめくれが生じなかった。
【産業上の利用可能性】
【００６１】
本発明に係る画像形成装置は、クリーニングブレードが短期間でめくれることを抑制可能であり、トリクル方式の現像器を用いた画像形成装置に好適である。
【符号の説明】
【００６２】
１  画像形成装置
３  中間転写ベルト
５（５ａ〜５ｄ）  感光体ドラム
８（８ａ〜８ｄ）現像器
８５  現像ローラ
１２  クリーニングブレード
【図１】
2016109843.tif 000004
【図２Ａ】
2016109843.tif 000005
【図２Ｂ】
2016109843.tif 000006
【図３Ａ】
2016109843.tif 000007
【図３Ｂ】
2016109843.tif 000008
【図４】
2016109843.tif 000009
【図５】
2016109843.tif 000010
【図６】
2016109843.tif 000011
【図７】
2016109843.tif 000012